(57)【要約】【課題】例えば、プロジェクタ等の投射装置に搭載される液晶パネルの温度上昇を抑制する。【解決手段】光反射膜（６１８）は、窓部（６１６）を囲むようにフレーム（６１０）の表面に延び、且つ当該表面より光反射率が大きい。即ち、光反射膜（６１９）は、当該実装ケース（６１０）に収容された液晶パネル（５００）がプロジェクタに配置された状態で、窓部（６１６）から光透過領域が臨む側である光の入射側に面する面に設けられている。光反射膜（６１８）で反射される光の光量は、実装ケース本体部の表面で反射される光の光量に比べて大きい。よって、光反射膜（６１８）を設けることによって実装ケース（６０１）に吸収される光のエネルギーを低減でき、実装ケース（６０１）の温度上昇を抑制できる。【選択図】図７
2009229474.tif 000002
【特許請求の範囲】
【請求項１】
電気光学パネルを収容するケース本体部と、
前記ケース本体部に設けられており、前記収容された電気光学パネルの画素領域が臨む窓部と、
前記窓部を囲むように前記ケース本体部の一方の面に設けられており、該一方の面より光反射率が大きい光反射膜と、
前記窓部の縁に沿って設けられており、前記一方の面に交わることによって前記窓部を規定する壁面に設けられた光反射防止膜と
を備えたことを特徴とする実装ケース。
【請求項２】
前記光反射膜上に設けられており、前記光反射膜を保護する保護膜と
を備えたことを特徴とする請求項１に記載の実装ケース。
【請求項３】
前記光反射防止膜は、前記壁面に沿って設けられる第１光反射防止膜と、前記光反射膜を部分的に酸化させることによって形成された酸化膜から構成された第２光反射膜防止膜とから構成されていること
を特徴とする請求項１又は２に記載の実装ケース。
【請求項４】
電気光学パネルと、
（ｉ）前記電気光学パネルを収容するケース本体部、（ｉｉ）前記ケース本体部に設けられており、前記収容された電気光学パネルの画素領域が臨む窓部、（ｉｉｉ）前記窓部を囲むように前記ケース本体部の一方の面に設けられており、該一方の面より光反射率が大きい光反射膜、及び（ｉｖ）前記窓部の縁に沿って設けられており、且つ前記一方の面に交わることによって前記窓部を規定する壁面に設けられた光反射防止膜を有する実装ケースと
を備えたことを特徴とする電気光学装置モジュール。
【発明の詳細な説明】
【技術分野】
【０００１】
本発明は、例えば、液晶パネル等の電気光学パネルを収容する実装ケース、並びに、電気光学パネル及びこれを収容した実装ケースを備えた電気光学装置モジュールの技術分野に関する。
【背景技術】
【０００２】
液晶パネル等の電気光学パネルは、パネル単体でプロジェクタ等の投射装置に搭載されるのではなく、実装ケースに収容された電気光学装置モジュールとして投射装置に搭載され、例えば、光を変調するライトバルブ等の光変調装置として用いられる。プロジェクタ等の投射装置の動作時には、光源から出射された強力な光が電気光学装置モジュールに照射されるため、電気光学パネルの温度上昇に応じて当該電気光学パネルの動作不良が発生し易くなる問題点がある。加えて、電気光学パネルの信頼性が低下する問題点もある。
【０００３】
これら問題点を解消するために、電気光学パネルの温度上昇を低減する各種技術が開示されている（例えば、特許文献１参照。）。
【０００４】
【特許文献１】特開２００４−４５６８０号公報
【発明の開示】
【発明が解決しようとする課題】
【０００５】
しかしながら、特許文献１に開示された技術によれば、ケースが吸収する光エネルギーを低減することが困難であるため、電気光学パネルの温度上昇を解決することが困難である。加えて、冷却風を送風するファン等の送風手段を設ける必要も生じ、プロジェクタによる画像表示に直接関係がない装置が必要となる。したがって、プロジェクタ等の投射装置について設計変更を伴う問題点も生じる。
【０００６】
よって、本発明は上記問題点等に鑑みてなされたものであり、例えば、プロジェクタ等の投射装置に搭載される液晶パネルの温度上昇を抑制可能な実装ケース及び電気光学装置モジュールを提供することを課題とする。
【課題を解決するための手段】
【０００７】
本発明に係る実装ケースは上記課題を解決するために、電気光学パネルを収容するケース本体部と、前記ケース本体部に設けられており、前記収容された電気光学パネルの画素領域が臨む窓部と、前記窓部を囲むように前記ケース本体部の一方の面に設けられており、該一方の面より光反射率が大きい光反射膜と、前記窓部の縁に沿って設けられており、前記一方の面に交わることによって前記窓部を規定する壁面に設けられた光反射防止膜とを備える。
【０００８】
本発明に係る実装ケースによれば、ケース本体部は、液晶パネル等の電気光学パネルを収容可能な構成を有していればよく、例えば、複数の部材を組み合わせることによって構成されていてもよい。
【０００９】
窓部は、前記ケース本体部に設けられており、前記収容された電気光学パネルの画素領域が臨む。ここで、画素領域とは、電気光学パネルが画像を表示する表示領域に対応する領域であり、例えば、液晶ライトバルブであれば、光源から出射された光が当該電気光学パネルに入射可能な領域である。プロジェクタでは、このような画素領域に入射した光が電気光学パネルによって変調され、変調された光が電気光学パネルの表示領域から出射されることによって画像が表示可能になる。
【００１０】
光反射膜は、前記窓部を囲むように前記ケース本体部の一方の面に設けられており、該一方の面より光反射率が大きい。即ち、光反射膜は、例えば、当該実装ケースに収容された電気光学パネルがプロジェクタ等の投射装置に配置された状態で、ケース本体部の表面のうち窓部から画素領域が臨む側である光源が配置された側に面する前記ケース本体部の一方の面に設けられている。したがって、光源から出射された光は、ケース本体部の一方の面に到達せず、光反射膜によって反射される。ここで、光反射膜の光反射率が、ケース本体部の一方の面の光反射率より大きいため、光反射膜で反射される光の光量は、ケース本体部の一方の面で反射される光の光量に比べて大きい。よって、光反射膜を設けることによって、ケース本体部に吸収される光のエネルギーを低減でき、当該実装ケースの温度上昇を抑制できる。尚、このような光反射膜は、例えば、Ａｇ或いはＡｌ等の金属膜で構成可能である。
【００１１】
ここで、実装ケースの温度上昇を抑制する観点からみれば、窓部の縁に沿って延び、且つ当該窓部を規定する壁面にも光反射膜を設けることも考えられる。しかしながら、このような壁面に光反射膜を形成すると、光反射膜で反射された光が画素領域に斜めに入射し、電気光学パネルによって表示される画像の縁に縞状の表示不良が表示されてしまう。加えて、壁面に光反射膜を設けない場合であっても、大なり小なり壁面によって光が反射されてしまう。
【００１２】
そこで、本発明に係る実装ケースでは、前記窓部の縁に沿って延び、且つ前記一方の面に交わることによって前記窓部を規定する壁面に光反射防止膜が設けられている。このような光反射防止膜によれば、光源から窓部に入射する光のうち壁面で反射された光を低減でき、画素領域に斜めに入射する光を低減可能である。したがって、電気光学パネルによって表示される画像の縁に縞状の表示不良が表示されることを低減できる。
【００１３】
このように、本発明に係る実装ケースによれば、電気光学パネルの動作時において、電気光学パネルの温度上昇を抑制できるため、電気光学パネルの表示性能が低下することを抑制できる。加えて、縞状の表示不良が低減可能になることによって、電気光学パネルの表示性能を高めることも可能である。
【００１４】
本発明に係る実装ケースの一の態様では、前記光反射膜上に設けられており、前記光反射膜を保護する保護膜とを備えていてもよい。
【００１５】
この態様によれば、例えば、光反射膜がＡｇ或いはＡｌ等の酸化し易い金属膜で構成されている場合であっても、光反射膜の酸化を低減できる。よって、光反射膜の光反射率の低下を抑制することが可能である。
【００１６】
本発明に係る実装ケースの他の態様では、前記光反射防止膜は、前記壁面に沿って設けられる第１光反射防止膜と、前記光反射膜を部分的に酸化させることによって形成された酸化膜から構成された第２光反射膜防止膜とから構成されていてもよい。
【００１７】
この態様によれば、光反射膜の一部を酸化させることによって光反射防止膜を形成できるため、簡便な製造プロセスで光反射防止膜を形成できる。
【００１８】
本発明に係る電気光学装置モジュールは上記課題を解決するために、電気光学パネルと、（ｉ）前記電気光学パネルを収容するケース本体部、（ｉｉ）前記ケース本体部に設けられており、前記収容された電気光学パネルの画素領域が臨む窓部、（ｉｉｉ）前記窓部を囲むように前記ケース本体部の一方の面に設けられており、該一方の面より光反射率が大きい光反射膜、及び（ｉｖ）前記窓部の縁に沿って設けられており、且つ前記一方の面に交わることによって前記窓部を規定する壁面に設けられた光反射防止膜を有する実装ケースとを備える。
【００１９】
本発明に係る電気光学装置モジュールによれば、上述の実装ケースを備えているため、その動作時に電気光学パネルの温度上昇を抑制可能でき、高品位の画像を長期間に亘って表示可能である。特に、プロジェクタ等の電子機器では、光源から出射される光の強度が強力であるため、本発明に係る電気光学装置モジュールの利点を生かして、高品位の画像を表示可能である。
【００２０】
本発明のこのような作用及び他の利得は次に説明する実施形態から明らかにされる。
【発明を実施するための最良の形態】
【００２１】
以下、図面を参照しながら、本発明に係る実装ケース及び電気光学装置モジュールの各実施形態を説明する。
【００２２】
＜１：プロジェクタの構成＞
先ず、図１を参照して、本実施形態に係る電気光学装置モジュールをライトバルブとして用いたプロジェクタの構成を説明する。ここでは、その光学ユニットに組み込まれている光学系を中心に説明する。図１は、プロジェクタの図式的断面図である。本実施形態のプロジェクタは、液晶ライトバルブが３枚一組で用いられてなる複板式カラープロジェクタとして構築されている。
【００２３】
図１において、本実施形態における複板式カラープロジェクタの一例たる、液晶プロジェクタ１１００は、駆動回路が素子基板上に搭載された電気光学装置を含む液晶ライトバルブを３個用意し、夫々ＲＧＢ用の液晶ライトバルブ１００Ｒ、１００Ｇ及び１００Ｂとして用いたプロジェクタとして構成されている。液晶ライトバルブ１００Ｒ、１００Ｇ及び１００Ｂの夫々が、本発明の「電気光学装置モジュール」の一例である。
【００２４】
液晶プロジェクタ１１００では、メタルハライドランプ等の白色光源のランプユニット１１０２から投射光が発せられると、３枚のミラー１１０６及び２枚のダイクロイックミラー１１０８によって、ＲＧＢの３原色に対応する光成分Ｒ、Ｇ及びＢに分けられ、各色に対応する液晶ライトバルブ１００Ｒ、１００Ｇ及び１００Ｂに夫々導かれる。この際特にＢ光は、長い光路による光損失を防ぐために、入射レンズ１１２２、リレーレンズ１１２３及び出射レンズ１１２４からなるリレーレンズ系１１２１を介して導かれる。液晶ライトバルブ１００Ｒ、１００Ｇ及び１００Ｂにより夫々変調された３原色に対応する光成分は、ダイクロイックプリズム１１１２により再度合成された後、投射レンズ１１１４を介してスクリーンにカラー画像として投射される。
【００２５】
液晶ライトバルブ１００Ｒ、１００Ｇ及び１００Ｂは、例えば、後述の如きＴＦＴをスイッチング素子として用いたアクティブマトリクス駆動方式の液晶パネルを備えている。
【００２６】
このような液晶プロジェクタ１１００の駆動時には、強力な光源たるランプユニット１１０２からの投射光により、液晶ライトバルブ１００において温度が上昇する。この際、過度に温度が上昇すると、液晶ライトバルブ１００内の液晶が劣化したり、光源光のむらによる部分的な液晶パネルの加熱によるホットスポットの出現により透過率にムラが生じたりする。
【００２７】
そこで、本実施形態では特に、液晶ライトバルブ１００を以下のように構成し、その温度上昇を効率的に抑制する。尚、液晶ライトバルブ１００Ｒ、１００Ｇ及び１００Ｂの夫々は、互いに赤色光、緑色光及び青色光の夫々を変調する機能のみが異なるのみであり、その基本的な構成は共通である。したがって、以下では、液晶ライトバルブ１００としてその構成を説明する。
【００２８】
＜２：電気光学装置モジュール及び実装ケースの具体的な構成＞
（電気光学パネルの構成）
次に、図２乃至図４を参照しながら、上述のプロジェクタ１１００が備える液晶ライトバルブ１００の具体的な構成を説明する。液晶ライトバルブ１００は、本発明の「電気光学パネル」の一例である液晶パネル５００が実装ケース６０１に収容されてなる。
【００２９】
図２及び図３を参照しながら、液晶パネル５００の具体的構成を説明する。ここでは、液晶パネルの一例である駆動回路内蔵型のＴＦＴアクティブマトリクス駆動方式の液晶装置を例に挙げる。図２は、素子基板をその上に形成された各構成要素と共に対向基板の側から見た液晶パネルの平面図であり、図３は、図２のＩＩＩ−ＩＩＩ´断面図である。
【００３０】
図２及び図３において、液晶パネル５００では、素子基板１０と対向基板２０とが対向配置されている。素子基板１０と対向基板２０との間に液晶層５０が封入されており、素子基板１０と対向基板２０とは、複数の画素から構成される画素領域である画像表示領域１０ａの周囲に位置するシール領域に設けられたシール材５２により相互に接着されている。
【００３１】
シール材５２は、両基板を貼り合わせるための、例えば紫外線硬化樹脂、熱硬化樹脂等からなり、製造プロセスにおいて素子基板１０上に塗布された後、紫外線照射、加熱等により硬化させられたものである。また、シール材５２中には、素子基板１０と対向基板２０との間隔（基板間ギャップ）を所定値とするためのグラスファイバ或いはガラスビーズ等のギャップ材が散布されている。即ち、本実施形態の電気光学装置は、プロジェクタのライトバルブ用として小型で拡大表示を行うのに適している。
【００３２】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、素子基板１０側に内蔵遮光膜として設けられてもよい。
【００３３】
画像表示領域１０ａの周辺に広がる周辺領域のうち、シール材５２が配置されたシール領域の外側に位置する領域には、データ線駆動回路１０１及び外部回路接続端子１０２が素子基板１０の一辺に沿って設けられている。この一辺に沿ったシール領域よりも内側に、サンプリング回路７が額縁遮光膜５３に覆われるようにして設けられている。また、走査線駆動回路１０４は、この一辺に隣接する２辺に沿い、且つ、前記額縁遮光膜５３に覆われるようにして設けられている。
【００３４】
素子基板１０上には、対向基板２０の４つのコーナー部に対向する領域に、両基板間を上下導通材１０７で接続するための上下導通端子１０６が配置されている。これらにより、素子基板１０と対向基板２０との間で電気的な導通をとることができる。
【００３５】
素子基板１０上には、外部回接続端子１０２と、データ線駆動回路１０１、走査線駆動回路１０４、上下導通端子１０６等とを電気的に接続するための引回配線９０が形成されている。
【００３６】
図３において、素子基板１０上には、画素スイッチング用のＴＦＴや走査線、データ線等の配線が形成された後の画素電極９ａ上に、図示しない配向膜が形成されている。他方、対向基板２０上には、対向電極２１の他、格子状又はストライプ状の遮光膜２３、更には最上層部分に図示しない配向膜が形成されている。また、液晶層５０は、例えば一種又は数種類のネマティック液晶を混合した液晶からなり、これら一対の配向膜間で、所定の配向状態をとる。
【００３７】
尚、図２及び図３に示した素子基板１０上には、これらのデータ線駆動回路１０１、走査線駆動回路１０４等に加えて、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００３８】
次に、図４を参照して、以上の如く構成された液晶パネル５００における回路構成及び動作について説明する。図４は、液晶パネル５００の画像表示領域１０ａを構成するマトリクス状に形成された複数の画素における各種素子、配線等の等価回路図である。
【００３９】
図４において、液晶パネル５００の画像表示領域１０ａを構成するマトリクス状に形成された複数の画素には夫々、画素電極９ａと当該画素電極９ａに印加される電圧をスイッチング制御するためのＴＦＴ３０とが形成されており、画像信号が供給されるデータ線６ａが当該ＴＦＴ３０のソースに電気的に接続されている。データ線６ａに書き込む画像信号Ｓ１、Ｓ２、・・・、Ｓｎは、この順に線順次に供給しても構わないし、相隣接する複数のデータ線６ａ同士に対して、グループ毎に供給するようにしてもよい。
【００４０】
また、ＴＦＴ３０のゲートにゲート電極３ａが電気的に接続されており、所定のタイミングで、走査線１１ａ及びゲート電極３ａにパルス的に走査信号Ｇ１、Ｇ２、・・・、Ｇｍを、この順に線順次で印加するように構成されている。画素電極９ａは、ＴＦＴ３０のドレインに電気的に接続されており、スイッチング素子であるＴＦＴ３０を一定期間だけそのスイッチを閉じることにより、データ線６ａから供給される画像信号Ｓ１、Ｓ２、・・・、Ｓｎを所定のタイミングで書き込む。
【００４１】
画素電極９ａを介して電気光学物質の一例としての液晶に書き込まれた所定レベルの画像信号Ｓ１、Ｓ２、・・・、Ｓｎは、対向基板２０に形成された対向電極２１との間で一定期間保持される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として電気光学装置からは画像信号に応じたコントラストをもつ光が出射する。
【００４２】
ここで保持された画像信号がリークするのを防ぐために、画素電極９ａと対向電極２１との間に形成される液晶容量と並列に蓄積容量７０を付加する。この蓄積容量７０は、走査線１１ａに並んで設けられ、固定電位側容量電極を含むとともに定電位に固定された容量電極３００を含んでいる。
【００４３】
（電気光学装置モジュールの構成）
次に、図５乃至図７を参照しながら、液晶パネル５００を実装ケース６０１に収納してなる液晶ライトバルブ１００の具体的な構成を説明する。
【００４４】
図５は、液晶ライトバルブ１００が備える実装ケース６０１を液晶パネル５００とともに示す分解斜視図である。図６は、液晶ライトバルブ１００の平面図である。図７は、図６のＶＩＩ−ＶＩＩ´断面図である。尚、図７では、液晶層５０の図示を省略している。
【００４５】
図５において、液晶パネル５００が備える外部回路接続端子１０２（図１参照）は、フレキシブルプリント配線板（以下、ＦＰＣと略称する）５０１に電気的に接続されている。素子基板１０及び対向基板２０の各々における液晶層５０を挟んで対向する面とは反対側の面の夫々には、防塵用基板４００が設けられている。偏光板や位相差板等は、液晶パネル５００の外表面に付設されていてもよいし、液晶プロジェクタ１１００の光学系の一部として設けられていてもよい。
【００４６】
図５に示すように、本発明の「実装ケース」の一例である実装ケース６０１は、液晶パネル５００を収容するフレーム６１０(即ち、第１の保持部材)と、フレーム６１０に被さるカバー部材６２０(即ち、第２の保持部材)とを備えて構成されている。フレーム６１０及びカバー部材６２０が、本発明の「ケース本体部」の一例を構成している。カバー部材６２０は、両側縁のフック６２７をフレーム６１０の側面に形成された爪部６３７に引っ掛けることによって、フレーム６１０と組み合せられている。
【００４７】
液晶パネル５００は、フレーム６１０に対向基板２０側が面する向きに収容され、素子基板１０側の外表面をカバー部材６２０で覆われている。即ち、液晶ライトバルブ１００では、液晶ライトバルブ１００がプロジェクタ１１００に配置された状態で、フレーム６１０に設けられた、本発明の「窓部」の一例である窓部６１６から光が入射し、窓部６１６に臨む光透過領域４００ａから液晶パネル５００を透過して、変調光をカバー部材６２０から出射するということを前提としている（図１において、ダイクロイックプリズム１１１２には、フレーム６１０ではなくカバー部材６２０が対向していることになる）。液晶パネル５００は、その周縁部側からフレーム６１０によって包囲された状態で、該フレーム６１０に接着剤によって接着されることによって固定されて、該フレーム６１０内に収容される。よって、液晶パネル５００は、フレーム６１０によって、その周縁部側から包囲される状態となる。尚、このように実装ケース６０１内に収容された状態で、液晶パネル５００における、画像表示領域１０ａに対応する光透過領域４００ａの周辺に位置する周辺領域は、フレーム６１０によって覆われている。フレーム６１０には、保護膜６１１が設けられている。また、窓部６１６の縁に沿って延び、且つ当該窓部６１６を規定する壁面には、光反射防止膜６１７が設けられている。
【００４８】
カバー部材６２０は、窓部６２５が設けられた額縁状の本体と、本体の両脇に、フック６２７とを備えている。窓部６２５は、液晶パネル５００の画像表示領域１０ａ（図２参照）から射出される光を取り出すために、画像表示領域１０ａが臨むように開口されている。
【００４９】
図６に示すように、フレーム６１０は、本体部６１３、実装部６１４、爪部６３７、取り込み口７１０、保護膜６１１、光反射膜６１８、及び光反射防止膜６１７を備えて構成されている。
【００５０】
図６において、本体部６１３は、液晶パネル５００の形状に合わせ、言わば内側をくり抜かれたように成形された窓部６１６を備えている。窓部６１６は、収容された液晶パネル５００の画像表示領域１０ａ（図２参照）に光を透過させるために、画像表示領域１０ａと対向するように開口されている。このため、図１に示した液晶プロジェクタ１１００内のランプユニット１１０２から発せられた光は、窓部６１６を通過して液晶パネル５００の光透過領域４００ａに入射可能である。
【００５１】
図６において、実装部６１４は、フレーム６１０の４隅に設けられており、実装部６１４の各々には取り付け穴６１５が設けられている。取り付け穴６１５は、図１に示した如き液晶プロジェクタ１１００内に液晶ライトバルブ１００を、取り付けする際に利用される。即ち、液晶ライトバルブ１００は、取り付け穴６１５を貫通するネジを用いて液晶プロジェクタ１１００にネジ止めすることにより、液晶プロジェクタ１１００内に取り付けられる。よって、液晶パネル５００を液晶プロジェクタ１１００内に安定して実装することができる。従って、例えば光学的な基準位置となる取り付け位置に対する、画像表示領域１０ａの位置ズレの発生を防止できる。
【００５２】
更に、図６に示すように、本実施形態では、取り付け穴６１５がフレーム６１０の４隅に設けられることによって、実装ケース６０１の４点固定が実現されている。尚、液晶プロジェクタ１１００内に当該液晶ライトバルブ１００を固定するためには、少なくとも３つの取り付け穴が設けられるのが好ましい。
【００５３】
フレーム６１０は、当該フレーム６１０の側面に開口する取り込み口７１０を備えている。取り込み口７１０によれば、フレーム６１０及びカバー部材６２０を組み上げてなる実装ケース６０１内に収納された液晶パネル５００に冷却用流体を供給し、液晶パネル５００の温度上昇を抑制することが可能である。
【００５４】
図６及び図７において、光反射膜６１８は、窓部６１６を囲むようにフレーム６１０の表面に延び、且つ当該表面より光反射率が大きい。即ち、光反射膜６１８は、当該実装ケース６１０に収容された液晶パネル５００がプロジェクタ１１００に配置された状態で、窓部６１６から光透過領域４００ａが臨む側である光の入射側に面する面に設けられている。したがって、液晶ライトバルブ１００に照射される光は、実装ケース６０１の表面に到達せず、光反射膜６１８によって反射される。ここで、光反射膜６１８の光反射率が、本体部６１３の表面の光反射率より大きいため、光反射膜６１８で反射される光の光量は、本体部６１３の表面で反射される光の光量に比べて大きい。よって、光反射膜６１８を設けることによって実装ケース６０１に吸収される光のエネルギーを低減でき、当該実装ケース６０１の温度上昇を抑制できる。尚、このような光反射膜６１８は、例えば、Ａｇ或いはＡｌ等の金属膜で構成可能である。
【００５５】
ここで、実装ケース６０１の温度上昇を抑制する観点からみれば、窓部６１６の縁に沿って延び、且つ当該窓部を規定する壁面６１９にも光反射膜を設けることも考えられる。しかしながら、このような壁面６１９に光反射膜を形成すると、光反射膜で反射された光が光透過領域４００ａに斜めに入射し、液晶パネル５００によって表示される画像の縁に縞状の表示不良が発生する。加えて、壁面６１９に光反射膜を設けない場合であっても、大なり小なり壁面６１９によって光が反射されてしまう。
【００５６】
そこで、実装ケース６０１では、窓部６１６を規定する壁面６１９に光反射防止膜６１７が設けられている。このような光反射防止膜６１７によれば、窓部６１６に入射する光のうち壁面６１９で反射される光を低減でき、光透過領域４００ａに斜めに入射する光を低減可能である。したがって、液晶パネル５００によって表示される画像の縁に縞状の表示不良が発生することを低減できる。
【００５７】
保護膜６１１は、光反射膜６１８上に設けられており、光反射膜６１８を保護する。より具体的には、例えば、光反射膜６１８がＡｇ或いはＡｌ等の酸化し易い金属膜で構成されている場合には、保護膜６１１は、光反射膜６１８の酸化を防止する酸化防止膜として形成される。保護膜６１１によれば、光反射膜６１８が酸化することを低減でき、光反射率の低下を抑制可能である。
【００５８】
以上説明したように、本実施形態に係る実装ケース６０１及び当該実装ケース６０１に液晶パネル５００を収容してなる液晶ライトバルブ１００によれば、液晶パネル５００の動作時において、液晶パネル５００の温度上昇を抑制できるため、液晶パネル５００の表示性能が低下することを抑制できる。加えて、縞状の表示不良を低減可能になることによって、液晶ライトバルブ１００の表示性能を高めることも可能である。
【００５９】
（変形例）
次に、図８を参照しながら、実装ケースの変形例を説明する。尚、以下では、上述の実装ケース６０１及び液晶ライトバルブ１００と共通する部分に共通の参照符号を付し、詳細な説明を省略する。図８（ａ）は、本実施形態に係る実装ケースの一変形例である実装ケース６０１ａを含んでなる液晶ライトバルブ１００ａの構成を示した断面図である。図８（ｂ）は、本実施形態に係る実装ケースの他の変形例である実装ケース６０１ｂを含んでなる液晶ライトバルブ１００ｂの構成を示した断面図である。
【００６０】
図８（ａ）において、本例に係る実装ケース６０１ａでは、光反射防止膜６１７ａが、壁面６１９ａに沿って延びる第１光反射防止膜６１７ａ１と、光反射膜６１８ａを部分的に酸化させることによって形成された酸化膜から構成される第２光反射膜防止膜６１７ａ２とから構成されている。
【００６１】
このような光反射防止膜６１７ａによれば、光反射膜６１８ａの一部を酸化させることによって光反射防止膜６１７ａを形成できるため、簡便な製造プロセスで光反射防止膜６１７ａを形成できる。
【００６２】
図８（ｂ）において、本例に係る実装ケース６０１ｂでは、光反射防止膜６１７ｂは、光反射膜６１８に重ならないように壁面６１９ｂに形成されている。このような光反射防止膜６１７ｂによれば、上述の光反射防止膜と同様に、光透過領域４００ａに斜めに入射する光を低減できるため、液晶ライトバルブ１００ｂの表示性能を高めることが可能である。
【図面の簡単な説明】
【００６３】
【図１】本実施形態に係る電気光学装置モジュールを備えたプロジェクタの図式的断面図である。
【図２】本実施形態に係る電気光学装置モジュールを構成する液晶パネルの構成を示した平面図である。
【図３】図２のＩＩＩ−ＩＩＩ´断面図である。
【図４】液晶パネルの画像表示領域における各種素子、配線等の等価回路図である。
【図５】本実施形態に係る電気光学装置モジュールが備える実装ケースを液晶パネルとともに示す分解斜視図である。
【図６】本実施形態に係る電気光学装置モジュールの平面図である。
【図７】図６のＶＩＩ−ＶＩＩ´断面図である。
【図８】本実施形態に係る実装ケースの一変形例である実装ケースを含んでなる電気光学装置モジュールの構成を示した断面図である。
【符号の説明】
【００６４】
１００・・・液晶ライトバルブ、５００・・・液晶パネル、６０１・・・実装ケース、６１１・・・保護膜、６１６，６２５・・・窓部、６１８，６１８ａ・・・光反射膜、６１７，６１７ａ，６１７ｂ・・・光反射防止膜
【図１】
2009229474.tif 000003
【図２】
2009229474.tif 000004
【図３】
2009229474.tif 000005
【図４】
2009229474.tif 000006
【図５】
2009229474.tif 000007
【図６】
2009229474.tif 000008
【図７】
2009229474.tif 000009
【図８】
2009229474.tif 000010